(57)【要約】【課題】インターネット上のサーバにおいてデータ消失が発生した場合にも、受信側でＦＡＸを受信したことを認識できること。【解決手段】蓄積した文書のデータをサーバに転送する文書転送部と、前記文書のデータを保存する文書保存部と、前記サーバに転送した文書のデータの利用状態を確認する文書利用状態確認部と、を備え、前記文書保存部に保存した文書のデータは、前記文書利用状態確認部で確認された文書データの利用状態に応じて削除する。【選択図】図４
2014107657.tif 000002
【特許請求の範囲】
【請求項１】
蓄積した文書のデータをサーバに転送する文書転送部と、
前記文書のデータを保存する文書保存部と、
前記サーバに転送した文書のデータの利用状態を確認する文書利用状態確認部と、を備え、
前記文書保存部に保存した文書のデータは、前記文書利用状態確認部で確認された文書データの利用状態に応じて削除することを特徴とする、画像形成装置。
【請求項２】
請求項１に記載の画像形成装置において、
ファクシミリの受信時に前記ファクシミリの送信元の情報を取得する送信元情報取得部を備え、
前記文書保存部に保存した文書のデータを削除するためのトリガーは、前記ファクシミリの送信元に応じて登録されているグループに所属しているユーザによる前記文書のデータの利用の検出であることを特徴とする、画像形成装置。
【請求項３】
請求項１に記載の画像形成装置において、
ファクシミリの受信時に前記ファクシミリの送信元の情報を取得する送信元情報取得部を備え、
前記文書保存部に保存した文書のデータを削除するためのトリガーは、前記ファクシミリの送信元に応じて登録されているグループに所属しているユーザ全員による前記文書のデータの利用の検出であることを特徴とする、画像形成装置。
【請求項４】
請求項３に記載の画像形成装置において、
前記文書保存部の残量を検知する残量検知部を備え、
前記文書保存部の残量が一定の閾値を下回った場合には、前記文書保存部に保存されている文書のデータのうち、既に文書のデータを利用しているユーザの割合が大きい文書のデータから消去することを特徴とする、画像形成装置。
【請求項５】
請求項３に記載の画像形成装置において、
前記文書を印刷する文書印刷部を備え、
前記文書保存部にデータが保存されている文書を印刷してから消去することを特徴とする、画像形成装置。
【請求項６】
請求項３に記載の画像形成装置において、
前記文書保存部にデータが保存されている文書を受信した履歴を残してから消去することを特徴とする、画像形成装置。
【請求項７】
請求項６に記載の画像形成装置において、
サーバのデータ消失を検出した場合には、前記文書保存部に保存されている文書のデータを再度前記サーバに転送することを特徴とする、画像形成装置。
【請求項８】
蓄積した文書のデータをサーバに転送する文書転送部と、
前記文書のデータを保存する文書保存部と、
前記サーバに転送した文書のデータの利用状態を確認する文書利用状態確認部と、
ファクシミリの受信時に前記ファクシミリの送信元の情報を取得する送信元情報取得部と、
前記文書保存部の残量を検知する残量検知部と、
前記文書を印刷する文書印刷部と、を備え、
前記文書保存部に保存した文書のデータは、前記文書利用状態確認部で確認された文書データの利用状態に応じて削除されることを特徴とする、画像形成システム。
【発明の詳細な説明】
【技術分野】
【０００１】
本発明は、画像形成装置及び画像形成システムに関する。
【背景技術】
【０００２】
受信したファクシミリ文書（以下、ＦＡＸ文書と表記）をインターネット上のサーバに自動的にアップロードすることにより、受信したＦＡＸ文書をいつでもどこでもすぐに確認することの出来る技術が既に知られている。
【０００３】
受信したＦＡＸ文書について、受信機にバックアップをとらずにインターネット上のサーバにのみ保持しておく場合、仮にインターネット上のサーバにてデータ消失が発生してしまうと、最悪の場合、受信機側ではＦＡＸ文書を受信したことに気づかないことになる。
【０００４】
これとは逆に、受信機において受信した全てのＦＡＸ文書のバックアップを保存しておくと、受信できるＦＡＸ文書の容量が受信機におけるバックアップ用のメディアの容量により制約をうけてしまうという問題があった。
【０００５】
そこで、この問題を解決するための提案がされている（特許文献１参照。）。
特許文献１には、受信したＦＡＸ文書を確実に保管することを目的とし、受信したＦＡＸ文書をＨＤＤ(Hard Disk Drive)に保存し、その後他のＰＣ(Personal Computer)への転送等を行うのと同時に、ファクシミリ装置用の不揮発性バックアップメモリに記憶しておく構成について開示されている。
【発明の概要】
【発明が解決しようとする課題】
【０００６】
しかしながら、特許文献１に記載の発明は、受信できるＦＡＸ文書の容量が、受信機におけるバックアップメディアの容量により制約をうけてしまうという問題は解消できていない。
【０００７】
そこで、本発明の目的は、インターネット上のサーバにおいてデータ消失が発生した場合にも、受信側でＦＡＸを受信したことを認識できることを目的とする。
【課題を解決するための手段】
【０００８】
上記課題を解決するため、請求項１に係る発明は、蓄積した文書のデータをサーバに転送する文書転送部と、前記文書のデータを保存する文書保存部と、前記サーバに転送した文書のデータの利用状態を確認する文書利用状態確認部と、を備え、前記文書保存部に保存した文書のデータは、前記文書利用状態確認部で確認された文書データの利用状態に応じて削除することを特徴とする。
【発明の効果】
【０００９】
本発明によれば、インターネット上のサーバにおいてデータ消失が発生した場合にも、受信側でＦＡＸを受信したことを認識できる。
【図面の簡単な説明】
【００１０】
【図１】一実施形態としての画像形成システムの概念図である。
【図２】図１に示した画像形成システムに用いられる画像形成装置としての着呼側ファクシミリ装置のブロック図の一例である。
【図３】図１に示した画像形成システムに用いられる画像形成装置としての着呼側ファクシミリ装置の機能ブロック図の一例である。
【図４】図１に示した画像形成システムに用いられる画像形成装置としての着呼側ファクシミリ装置の動作を示すフローチャートの一例である。
【図５】図１に示した画像形成システムに用いられる画像形成装置としての着呼側ファクシミリ装置の動作を示すフローチャートの他の一例である。
【図６】図１に示した画像形成システムに用いられる画像形成装置としての着呼側ファクシミリ装置の動作を示すフローチャートの他の一例である。
【図７】図１に示した画像形成システムに用いられる画像形成装置としての着呼側ファクシミリ装置の動作を示すフローチャートの他の一例である。
【図８】図１に示した画像形成システムに用いられる画像形成装置としての着呼側ファクシミリ装置の動作を示すフローチャートの他の一例である。
【図９】図１に示した画像形成システムに用いられる画像形成装置としての着呼側ファクシミリ装置の動作を示すフローチャートの他の一例である。
【図１０】図１に示した画像形成システムに用いられる画像形成装置としての着呼側ファクシミリ装置の動作を示すフローチャートの他の一例である。
【発明を実施するための形態】
【００１１】
実施の形態について図面を参照して説明する。
＜概  要＞
本画像形成装置は、蓄積した文書のデータをインターネット上のサーバに保存すると同時に、画像形成装置でもバックアップする構成を有する。画像形成装置でバックアップする文書のデータを、文書のデータの利用状態を考慮しながらインターネット上のサーバに保存している文書よりも短いライフサイクルで消去する。これにより、インターネット上のサーバと画像形成装置のバックアップメディアとの容量差の問題を解決し、サーバ側でのデータ消失発生時の影響を小さくできる。
【００１２】
＜実施の形態＞
［構  成］
（システム構成）
図１は、一実施形態としての画像形成システムの概念図である。
本実施形態は、蓄積した文書のデータをインターネット網３に接続されたサーバ６に転送する画像形成装置としての着呼側ファクシミリ装置５に関するものである。この着呼側ファクシミリ装置５は着呼側イントラネット１に属するものであり、発呼側ファクシミリ装置７と公衆網４に電話線８、９で接続されている。サーバ６は、データセンター２に設置されており、着呼側ファクシミリ装置５とインターネット網３にＬＡＮケーブル１０、１１で接続されている。
【００１３】
以降、ファクシミリ受信により文書のデータの蓄積を行う画像形成装置及びそのシステムにおける実施の形態を示す。
【００１４】
（ブロック構成）
図２は、図１に示した画像形成システムに用いられる画像形成装置としての着呼側ファクシミリ装置のブロック図の一例である。
各ブロックを制御する部分として制御部３１がある。制御部３１としては、例えばマイクロプロセッサが挙げられる。
ＲＡＭ(Random-Access Memory)部３２は、制御部３１が実行する制御処理プログラム、及び制御処理プログラムの実行に必要となる各種データ等が展開される。
時計部３３は現在時刻を保持する。時計部３３は、例えば、水晶発振子を用いて発振回路を構成してパルスを発生し、分周器で分周することでクロックパルスが得られる。また、交流電圧（１００Ｖ、５０Ｈｚもしくは６０Ｈｚ）を低電圧に変圧し、整流し、波形整形し、分周することによりクロックパルスを得るようにしてもよい。
スキャナ部３４は、送信するＦＡＸ文書やファクシミリ装置に保存したい文書の読み込みに利用され、また受信したＦＡＸ文書の出力はプリンタ部３５にて行われる。
【００１５】
ファクシミリ装置に対する各種操作、及びファクシミリ装置に関する各種情報の表示は、操作表示部３６を介して行われる。
符号化復号化部３７は、画像情報の圧縮符号化、及び圧縮された画像情報のもとの画像への復号化を行う。
ＰＳＴＮ(Public Switched Telephone Networks)網を介してのファクシミリ送受信は網制御部３８を介して行われる。ＩＰ(Internet Protocol)ネットワークを介してのファクシミリ送受信はインターネット通信制御部３９を介して行われる。また受信したＦＡＸ文書のサーバへの転送も、インターネット通信制御部３９を介して行われる。
ＮＶＲＡＭ(Non-Volatile RAM)４０は、受信したファクシミリ画像の一時的な保存等の用途に用いられる。
尚、３０はバスラインである。
【００１６】
（機能ブロック構成）
図３は、図１に示した画像形成システムに用いられる画像形成装置としての着呼側ファクシミリ装置の機能ブロック図の一例である。
本画像形成装置に蓄積された文書のデータは、「文書保存部」２４によりバックアップとして機器に保存される。これと同時に、文書のデータは、「文書転送部」２３により外部のサーバに転送される。
「文書蓄積手段」がファクシミリ受信であった場合には、「送信元情報取得部」２５により送信元情報（ナンバーディスプレイ（登録商標）契約時の発信元情報、ＣＳＩ(発信元ファクス番号)等）を取得しておく。
尚、「文書蓄積手段」は、「文書保存部」２４ではなく、文書をどのように蓄積したのか、すなわち、ＦＡＸで受信したのか、スキャナから読み込んだのか等を意味する。
【００１７】
「文書利用状態確認部」２２は、外部のサーバに転送された文書のデータの利用状況を定期的にサーバに問い合わせ、その結果に応じて「文書保存部」２４のバックアップデータを削除する。尚、「文書利用状態」とは、文書を見たか否か、文書を印刷したか否か、文書を保存したか否か、文書を転送したか否かを意味する。
【００１８】
また「残量検知部」２１は、バックアップ用メモリの残量を定期的に監視し、一定の閾値を下回った場合には、「文書印刷部」２６を用いた文書の印刷や、「文書保存部」２４を用いた文書のデータの削除を行う。
【００１９】
［動  作  １］
図４は、図１に示した画像形成システムに用いられる画像形成装置としての着呼側ファクシミリ装置５の動作を示すフローチャートの一例である。
動作の主体は、制御部３１である。
文書保存部２４は、蓄積要求された画像のデータをバックアップ用メディア、例えばフラッシュメモリに保存する（ステップＳ１）。
文書転送部２３は、蓄積要求された画像のデータをインターネット上のサーバ６に転送する（ステップＳ２）。
文書利用状態確認部２２は、インターネット上のサーバ６（図１参照）に転送した文書の利用状態を確認する（ステップＳ３）。
サーバ上の文書のデータが利用されているか否かを判断し（ステップＳ４）、サーバ６上の文書のデータが利用されている場合には（ステップＳ４／ＹＥＳ）、バックアップ用のメディアに保存してある文書を削除する（ステップＳ５）。サーバ６上の文書データが利用されていない場合には（ステップＳ４／ＮＯ）、ステップＳ３に戻る。
【００２０】
ここで、バックアップの文書を常に保存すると、サーバの容量が常にバックアップメディアの容量により制約を受けてしまう。しかし、バックアップメディアの容量による制約を避けるため、一定時間でバックアップの文書を強制的に削除することが考えられる。この場合、サーバ側でデータ消失が発生すると、文書が蓄積されたことを誰も知らないままに文書が削除されてしまうおそれがある。そこで、その中庸をとるため、利用が確認された文書はバックアップメディアから削除する、という構成としている。
【００２１】
サーバ上の文書のデータの利用状態判断（バックアップ用メディアに保存している文書の削除判断）の詳細については、動作２以降で述べる。
【００２２】
［動  作  ２］
図５は、図１に示した画像形成システムに用いられる画像形成装置としての着呼側ファクシミリ装置５の動作を示すフローチャートの他の一例である。
送信元取得部２５は、ファクシミリ受信時に送信元情報を取得する（ステップＳ１１）。
文書保存部２４は、ファクシミリ受信した画像をバックアップ用メディアに保存する（ステップＳ１２）。
文書転送部２３は、ファクシミリ受信した画像をインターネット上のサーバ６に転送する（ステップＳ１３）。
文書利用状態確認部２２は、インターネット上のサーバ６に転送した文書の利用状態を確認する（ステップＳ１４）。
サーバ６上の文書のデータが、送信元情報により決定されるファクシミリ受信者グループに属するユーザにより利用されているか否かを判断する（ステップＳ１５）。
サーバ６上の文書のデータが、送信元情報により決定されるファクシミリ受信者グループに属するユーザにより利用されている場合（ステップＳ１５／ＹＥＳ）には、バックアップ用のメディアに保存してある文書を削除する（ステップＳ１６）。
サーバ６上の文書のデータが、送信元情報により決定されるファクシミリ受信者グループに属するユーザにより利用されていない場合（ステップＳ１５／ＮＯ）にはステップＳ１４に戻る。
【００２３】
なお送信元情報としては、キャリア（電話会社）とナンバーディスプレイ（登録商標）契約を行うことで網から取得できる発信元情報と、対向機から送出されるＣＳＩ情報のどちらを利用しても良い。
【００２４】
［動  作  ３］
図６は、図１に示した画像形成システムに用いられる画像形成装置としての着呼側ファクシミリ装置５の動作を示すフローチャートの他の一例である。
送信元情報取得部２５は、ファクシミリ受信時に送信元情報を取得する（ステップＳ２１）。
文書保存部２４は、ファクシミリ受信した画像をバックアップ用メディアに保存する（ステップＳ２２）。
文書転送部２３は、ファクシミリ受信した画像をインターネット上のサーバ６に転送する（ステップＳ２３））。
文書利用状態確認部２２は、インターネット上のサーバ６に転送した文書の利用状態を確認する（ステップＳ２４）。
サーバ６上の文書のデータが、送信元情報により決定されるファクシミリ受信者グループに属するユーザ全員により利用されているか否かを判断する（ステップＳ２５）。
サーバ６上の文書のデータが、送信元情報により決定されるファクシミリ受信者グループに属するユーザ全員により利用されている場合（ステップＳ２５／ＹＥＳ）、バックアップ用のメディアに保存してある文書を削除する（ステップＳ２６）。
サーバ６上の文書のデータが、送信元情報により決定されるファクシミリ受信者グループに属するユーザ全員により利用されていない場合（ステップＳ２６／ＮＯ）、ステップＳ２４に戻る。
【００２５】
［動  作  ４］
図７は、図１に示した画像形成システムに用いられる画像形成装置としての着呼側ファクシミリ装置５の動作を示すフローチャートの他の一例である。
残量検知部２１は、バックアップ用メディアの残量を確認する（ステップＳ３１）。
バックアップ用メディアの残量が一定の閾値を下回っているか否かを判断する（ステップＳ３２）。
バックアップ用メディアの残量が一定の閾値を下回っている場合（ステップＳ３２／ＹＥＳ）、ステップＳ３３に進む。
バックアップ用メディアの残量が一定の閾値を下回っていない場合（ステップＳ３２／ＮＯ）、ステップＳ３１に戻る。
文書利用状態確認部２２は、インターネット上のサーバ６に転送した文書の利用状態を確認する（ステップＳ３３）。
文書利用状態確認部２２は、全ての文書のうち、既に文書を利用しているユーザの割合が最も大きい文書をバックアップ用のメディアから削除し、ステップＳ３１に戻る（ステップＳ３４）。
【００２６】
ステップＳ３４の処理例
以下２つの文書Ａ、Ｂがインターネット上のサーバ６に存在すると仮定する。
文書Ａ：送信元に紐付けられたファクシミリ受信者グループのメンバ＝１０人
上記メンバのうち、サーバ上で文書Ａを利用した履歴のあるメンバ＝６人
文書Ｂ：送信元に紐付けられたファクシミリ受信者グループのメンバ＝８人
上記メンバのうち、サーバ上で文書Ａを利用した履歴のあるメンバ＝４人
このとき、文書Ａを利用済のユーザの割合は６／１０＝６０％、文書Ｂを利用済のユーザの割合は４／８＝５０％であるため、文書Ａが削除対象となる。
【００２７】
［動  作  ５］
図８は、図１に示した画像形成システムに用いられる画像形成装置としての着呼側ファクシミリ装置５の動作を示すフローチャートの他の一例である。
残量検知部２１は、バックアップ用メディアの残量を確認する（ステップＳ４１）。
バックアップ用メディアの残量が一定の閾値を下回っているか否かを判断する（ステップＳ４２）。
バックアップ用メディアの残量が一定の閾値を下回っている場合（ステップＳ４２／ＹＥＳ）、ステップＳ４３に進む。
バックアップ用メディアの残量が一定の閾値を下回っていない場合（ステップＳ４２／ＮＯ）、ステップＳ４１に戻る。
文書利用状態確認部２２は、インターネット上のサーバ６に転送した文書の利用状態を確認する（ステップＳ４３）。
文書利用状態確認部２２は、全ての文書のデータのうち、文書のデータを利用しているユーザの割合が最大の文書のデータについて文書印刷部２６で文書を印刷した後、バックアップ用のメディアから削除し、ステップＳ４１に戻る（ステップＳ４４）。
【００２８】
［動  作  ６］
図９は、図１に示した画像形成システムに用いられる画像形成装置としての着呼側ファクシミリ装置５の動作を示すフローチャートの他の一例である。
残量検知部２１は、バックアップ用メディアの残量を確認する（ステップＳ５１）。
バックアップ用メディアの残量が一定の閾値を下回っているか否かを判断する（ステップＳ５２）。
バックアップ用メディアの残量が一定の閾値を下回っている場合（ステップＳ５２／ＹＥＳ）、ステップＳ５３に進む。
バックアップ用メディアの残量が一定の閾値を下回っていない場合（ステップＳ５２／ＮＯ）、ステップＳ５１に戻る。
文書利用状態確認部２２は、インターネット上のサーバ６に転送した文書のデータの利用状態を確認する（ステップＳ５３）。
文書利用状態確認部２２は、全ての文書のデータのうち、既に文書のデータを利用しているユーザの割合が最も大きい文書について、バックアップ用のメディアから削除する。このとき消去するのは画情報のみであり、ジョブ情報（受信履歴）は残しておき、ステップＳ５１に戻る（ステップＳ５４）。
【００２９】
［動  作  ７］
図１０は、図１に示した画像形成システムに用いられる画像形成装置としての着呼側ファクシミリ装置５の動作を示すフローチャートの他の一例である。
ここで、復旧の対象としているのは、あくまでバックアップメディアに残っている文書、すなわち、利用が確認されていない文書だけであり、サーバで消失した全ての文書ではないため、バックアップ用メディアの容量を大きくする必要はない。
【００３０】
文書保存部２４は、蓄積要求された画像をバックアップ用メディアに保存する（ステップＳ６１）。
文書転送部２３は、蓄積要求された画像をインターネット上のサーバ６に転送する（ステップＳ６２）。
文書利用状態確認部２２は、インターネット上のサーバ６に転送した文書の利用状態を確認する（ステップＳ６３）。
サーバ６上の文書が消失しているか否かを判断する（ステップＳ６４）。
サーバ６上の文書が消失している場合（ステップＳ６４／ＹＥＳ）、文書転送部２３はその文書のデータを再度インターネット上のサーバ６に転送し、ステップＳ６３に戻る（ステップＳ６５）。
サーバ６上の文書が消失していない場合（ステップＳ６４／ＮＯ）、ステップＳ６３に戻る。
【００３１】
サーバ６上の文書消失を、ユーザによる意図的な文書消去と見分ける必要がある。そのための手段の一例としては、
(a)ユーザによる意図的な文書消去発生時にはサーバ６側から着呼側ファクシミリ装置５側へとイベントを発行する。
(b)着呼側ファクシミリ装置５側でも同期してバックアップ用メディアの文書を削除する構成にしておく。
これにより、ステップＳ６３の文書利用状態確認にて文書のデータが存在しない場合には、全てユーザの意図しない文書消失であると判断することが出来る。
【００３２】
＜作用効果＞
文書転送部と、文書保存部と、文書利用状態確認部とを備え、バックアップ用のメディアに保存した文書は、インターネット上のサーバに転送した文書の利用状況をトリガーとして削除する。送信元情報取得部を備え、バックアップ用のメディアに保存した文書削除のトリガーは、送信元に応じて登録されているグループに所属しているユーザによる文書利用の検出であるとする。これにより、受信文書を必要とするユーザがファクシミリ受信のあったことを認識した後に、バックアップ用の文書を消去することが出来る。
【００３３】
送信元情報取得部を備え、バックアップ用のメディアに保存した文書削除のトリガーは、送信元に応じて登録されているグループに所属しているユーザ全員による文書利用の検出であるとする。これにより、受信文書を必要とするユーザ全員がファクシミリ受信のあったことを認識した後に、バックアップ用の文書を消去することが出来る。
【００３４】
バックアップ用メディアの残量検知部を備え、バックアップ用メディアの残量が一定の閾値を下回った場合には、バックアップ用メディアに保存されている文書のうち、既に文書を利用しているユーザの割合が大きい文書から消去していく。これにより、バックアップ用メディアの残量が少なくなり、バックアップ用メディアに保存されている文書を消去しなければならない場合に、影響の少ない文書を消去出来る。
【００３５】
文書印刷部を備え、バックアップ用メディアに保存されている文書のデータを消去する前に、文書を印刷する。これにより、バックアップ用メディアの残量が少なくなり、やむなくバックアップ用メディアに保存されている文書を消去しなければならない場合に、印刷物をバックアップ出来る。
【００３６】
バックアップ用メディアに保存されている文書を消去する際に、文書を受信した履歴については残しておく。これにより、サーバ側のデータが消失した場合でも、文書を受信した履歴を元にレポートを作成する等行うことにより、ＦＡＸ文書を受信したことが誰にも知られないという最悪のケースは避けることが出来る。
【００３７】
サーバ側のデータ消失を検出した場合には、バックアップ用のメディアに保存されている文書を再度サーバに転送する。これにより、サーバ側のデータ消失があっても、ユーザには極力影響を与えないようにすることが出来る。
【００３８】
受信できるＦＡＸ文書の容量を、受信側におけるバックアップメディアの容量により制約を受けずにし、インターネット上のサーバにおいてデータ消失が発生した場合でも、受信側がＦＡＸを受信したことに気づかないような事態は避けることができる。
【００３９】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００４０】
１    着呼側イントラネット
２    データセンター
３    インターネット網
４    公衆網
５    着呼側ファクシミリ装置
６    サーバ
７    発呼側ファクシミリ装置
８、９    電話線
１０、１１    ＬＡＮケーブル
２１    残量検知部
２２    文書利用状態確認部
２３    文書転送部
２４    文書保存部
２５    送信元情報取得部
２６    文書印刷部
３０    バスライン
３１    制御部
３２    ＲＡＭ部
３３    時計部
３４    スキャナ部
３５    プリンタ部
３６    操作表示部
３７    符号化復号化部
３８    網制御部
３９    インターネット通信制御部
４０    ＮＶＲＡＭ
【先行技術文献】
【特許文献】
【００４１】
【特許文献１】特開２００４−１４０４８５号公報
【図１】
2014107657.tif 000003
【図２】
2014107657.tif 000004
【図３】
2014107657.tif 000005
【図４】
2014107657.tif 000006
【図５】
2014107657.tif 000007
【図６】
2014107657.tif 000008
【図７】
2014107657.tif 000009
【図８】
2014107657.tif 000010
【図９】
2014107657.tif 000011
【図１０】
2014107657.tif 000012